(57)【要約】      （修正有）【課題】現場作業を簡易化することの可能な基礎構造および建築物を提供する。【解決手段】上部構造を受ける基礎構造１であって、ベースコンクリート６０と、ベースコンクリート６０に固定された複数の鋼製主柱と、複数の鋼製主柱の上端に連結された鋼製梁４０と、互いに隣接する２つの鋼製主柱の間隙を埋める人工木材１２０と、人工木材の側面を覆う基礎巻きコンクリート１６０とを備えている。【選択図】図２
0003219644.tif 000002
【実用新案登録請求の範囲】
【請求項１】
上部構造を受ける基礎構造であって、
ベースコンクリートと、
前記ベースコンクリートに固定された複数の鋼製主柱と、
前記複数の鋼製主柱の上端に連結された鋼製梁と、
互いに隣接する２つの前記鋼製主柱の間隙を埋める人工木材と、
前記人工木材の側面を覆う基礎巻きコンクリートと
を備えた
基礎構造。
【請求項２】
前記鋼製梁に支持された鋼製デッキプレートと、
前記鋼製デッキプレート上に設けられた床コンクリートと
を更に備えた
請求項１に記載の基礎構造。
【請求項３】
前記鋼製デッキプレートは、Ｖ型デッキ、Ｕ型デッキ、スラブプレート、キーストンプレート、または、ＱＬデッキであり、
前記鋼製デッキプレートおよび前記床コンクリートによってデッキ構造スラブが構成されている
請求項２に記載の基礎構造。
【請求項４】
互いに隣接する２つの前記鋼製主柱の下端に連結された複数の鋼製土台と、
互いに隣接する２つの前記鋼製主柱の間隙に設けられ、前記鋼製土台に連結された間柱と
を更に備え、
前記木材は、前記間柱に固定されている
請求項１〜請求項３のいずれか一項に記載の基礎構造。
【請求項５】
前記基礎巻きコンクリートおよび前記床コンクリート内に配筋を更に備えた
請求項１〜請求項４のいずれか一項に記載の基礎構造。
【請求項６】
前記梁の上に設けられ、前記基礎巻きコンクリートおよび前記床コンクリートに連結された土間立上コンクリートと、
前記土間立上コンクリート内に設けられた鉄筋と
を更に備えた
請求項１〜請求項５のいずれか一項に記載の基礎構造。
【請求項７】
前記梁の上に設けられた複数の鋼製土間立上柱と、
前記複数の鋼製土間立上柱の上端に連結された鋼製土間立上台座と
を更に備えた
請求項１〜請求項５のいずれか一項に記載の基礎構造。
【請求項８】
上部構造と、
前記上部構造を受ける基礎構造と
を備え、
前記基礎構造は、
ベースコンクリートと、
前記ベースコンクリートに固定された複数の鋼製主柱と、
前記複数の鋼製主柱の上端に連結された鋼製梁と、
互いに隣接する２つの前記鋼製主柱の間隙を埋める人工木材と、
前記人工木材の側面を覆う基礎巻きコンクリートと、
前記鋼製梁に支持された鋼製デッキプレートと、
前記鋼製デッキプレート上に設けられた床コンクリートと
を有する
建築物。
【考案の詳細な説明】
【技術分野】
【０００１】  本考案は、基礎構造および建築物に関する。
【背景技術】
【０００２】  近年、労働人口の減少は、国全体でも無視できない問題となっている。その中でも、特に、建設業界の人手不足は、非常に深刻で、工事現場で稼働する職人が不足している。そのため、職人の労務費は上昇し続け、建設コストの増加につながっている。また、職人不足により、新たな建設工事を受注することすら容易ではなくなってきている。
【考案の概要】
【考案が解決しようとする課題】
【０００３】  職人不足および現場施工精度の向上から、これらに対する対策として、現場作業の簡易化並びに基礎構造の２次製品化が望まれている。従って、現場作業を簡易化することの可能な基礎構造および建築物を提供することが望ましい。
【課題を解決するための手段】
【０００４】  本考案の一実施の形態に係る基礎構造は、上部構造を受ける基礎構造であって、ベースコンクリートと、ベースコンクリートに固定された複数の鋼製主柱と、複数の鋼製主柱の上端に連結された鋼製梁と、互いに隣接する２つの鋼製主柱の間隙を埋める人工木材と、人工木材の側面を覆う基礎巻きコンクリートとを備えている。【０００５】  本考案の一実施の形態に係る建築物は、上部構造と、上部構造を受ける基礎構造とを備えている。この建築物において、基礎構造は、ベースコンクリートと、ベースコンクリートに固定された複数の鋼製主柱と、複数の鋼製主柱の上端に連結された鋼製梁と、互いに隣接する２つの鋼製主柱の間隙を埋める人工木材と、人工木材の側面を覆う基礎巻きコンクリートとを有している。【０００６】  本考案の一実施の形態に係る基礎構造および建築物では、ベースコンクリート上に、主柱および梁を含む鋼製の基礎コンクリート用型枠材が設けられており、この鋼製の基礎の周囲に、人工木材を介してコンクリートが設けられている。これにより、鋼製の主柱および梁を組み上げるだけで、基礎の骨組みを形成することができる。また、形成した鋼製の基礎の周囲に、人工木材を介してコンクリートを形成することで、従来の、コンクリートで形成される基礎構造に求められる要件を満たした基礎構造を形成することができる。従って、基礎構造を全て、コンクリートで形成する場合と比べて、作業に対する熟練性の程度を緩和することができる。
【考案の効果】
【０００７】  本考案の一実施の形態に係る基礎構造および建築物によれば、ベースコンクリート上に、主柱および梁を含む鋼製の基礎コンクリート用型枠材を設けるとともに、この鋼製の基礎コンクリート用型枠材の周囲にコンクリートを設けるようにしたので、基礎構造を全て、コンクリートで形成する場合と比べて、作業に対する熟練性の程度を緩和することができる。従って、現場作業を簡易化することができる。
【図面の簡単な説明】
【０００８】
【図１】本考案の第１の実施の形態に係る基礎構造の一部の斜視構成例を表す図である。
【図２】図１の構造を含む基礎構造の断面構成例を表す図である。
【図３】本考案の第２の実施の形態に係る基礎構造の一部の斜視構成例を表す図である。
【図４】図３の構造を含む基礎構造の断面構成例を表す図である。
【図５】図２、図４の基礎構造を備えた建築物の正面構成例を表す図である。
【考案を実施するための形態】
【０００９】  以下、本考案を実施するための形態について、図面を参照して詳細に説明する。以下の説明は本考案の一具体例であって、本考案は以下の態様に限定されるものではない。また、本考案は、各図に示す各構成要素の配置や寸法、寸法比などについても、それらに限定されるものではない。
【００１０】＜第１の実施の形態＞
［構成］
本考案の第１の実施の形態に係る基礎構造１の構成について説明する。図１は、基礎構造１の一部の斜視構成例を表したものである。図２は、図１に記載の構成を含む基礎構造１の断面構成例を表したものである。基礎構造１は、建築物の基礎部分の構造であり、角形鋼管、鋼板、鉄筋およびコンクリートの複合体で構成されている。基礎構造１の大半（例えば、後述の床コンクリート１７０よりも下の部分）が地中に埋め込まれており、基礎構造１の上部（例えば、後述の土間立上コンクリート１９０および床コンクリート１８０）が地上に露出している。
【００１１】  基礎構造１は、例えば、砕石１１０と、ベースコンクリート６０と、ベースコンクリート６０に固定された鋼製基礎用型枠材１Ａとを備えている。鋼製基礎用型枠材１Ａは、鋼製の複数の主柱１０と、各主柱１０の上端に連結された鋼製の複数の梁４０とを備えている。鋼製基礎用型枠材１Ａは、さらに、例えば、互いに隣接する２つの主柱１０の間隙に設けられた鋼製の複数の土台３０および鋼製の複数の間柱３０を備えている。各主柱１０、各梁４０、各土台３０および各間柱２０は、例えば、鋼製の角筒体（角形鋼管）を含んで構成されている。
【００１２】  砕石１１０は、地面に設けられた凹部の底面に接して設けられている。凹部は、例えば、後述の床コンクリート１６０の上面の高さと地面の高さとが概ね等しくなるような深さとなっている。ベースコンクリート６０は、砕石１１０上に形成されている。ベースコンクリート６０の上面は、水平面と平行な平面となっている。
【００１３】  各主柱１０は、ベースコンクリート６０の法線方向に延在する角形鋼管と、角形鋼管の下端に連結されたベースプレート１１とによって形成されている。ベースプレート１１は、主柱１０をベースコンクリート６０に固定するためのものであり、複数のボルト孔が形成された鋼板である。ベースプレート１１は、ボルト孔に挿通されたボルト１２によってベースコンクリート６０に固定されている。
【００１４】  各梁４０は、ベースコンクリート６０の法線と直交する方向に延在する角形鋼管によって形成されている。各梁４０の両端は主柱１０に支持されるとともに、主柱１０の上端に連結されている。
【００１５】  各土台３０は、ベースコンクリート６０の法線と直交する方向に延在する角形鋼管によって形成されている。各土台３０の両端は主柱１０に支持されるとともに、主柱１０の下端に連結されている。各土台３０は、各土台３０とベースコンクリート６０との間に間隙ができるだけ生じないように配置されている。
【００１６】  各間柱２０は、互いに隣接する２つの主柱１０の間隙に設けられている。各間柱２０の下端が土台３０に連結されており、各間柱２０の上端が梁４０に連結されている。各間柱２０は、ベースコンクリート６０の法線方向に延在する角形鋼管によって形成されている。各間柱２０は、後述の各人工木材１２０を支持するとともに、後述の外型枠１４０を、所定の間隙を介して固定するためのものである。各間柱２０には、複数のボルト孔２１が形成されている。複数の人工木材１２０は、例えば、間柱２０に支持されるとともに、上下方向から土台３０および梁４０に挟まれることによって固定されている。
【００１７】  鋼製基礎用型枠材１Ａは、さらに、例えば、主柱１０の側面に接する間柱２２を備えていてもよい。間柱２２は、互いに隣接する２つの主柱１０の間隙に設けられている。間柱２２の下端が土台３０に連結されており、間柱２２の上端が梁４０に連結されている。間柱２２は、ベースコンクリート６０の法線方向に延在する角形鋼管によって形成されている。間柱２２は、人工木材１２０が間柱２０に固定されたときに人工木材１２０の端部と、主柱１０との間に隙間が生じないようにするためのものである。人工木材１２０が間柱２０に固定されたときに人工木材１２０の端部が間柱２２の一面に接する。
【００１８】  鋼製基礎用型枠材１Ａは、さらに、例えば、後述の床コンクリート１７０を支持するＶ型デッキ１３０を有している。Ｖ型デッキ１３０は、一の方向に延在する複数の凸部を含む鋼製デッキプレートである。Ｖ型デッキ１３０の表面には、めっき処理が施されていてもよい。Ｖ型デッキ１３０は複数の梁４０に支持されており、Ｖ型デッキ１３０の端部が各梁４０に連結されている。Ｖ型デッキ１３０の代わりに、他の鋼製デッキプレートが設けられていてもよい。鋼製基礎用型枠材１Ａに用いられ得る鋼製デッキプレートとしては、Ｖ型デッキ１３０の他に、例えば、Ｕ型デッキ、スラブプレート、キーストンプレート、または、ＱＬデッキなどが挙げられる。
【００１９】  基礎構造１は、さらに、例えば、互いに隣接する２つの主柱１０の間隙を埋める複数の人工木材１２０を備えている。各人工木材１２０は、ベースコンクリート６０の法線と直交する方向に延在している。各人工木材１２０は、例えば、間柱２０に支持されるとともに、上下方向から土台３０および梁４０に挟まれることによって固定されており、各人工木材１２０の端部が間柱２２の一面に接している。人工木材１２０の代わりに、角材、または、角形鋼管が設けられていてもよい。
【００２０】  基礎構造１は、さらに、例えば、鋼製基礎用型枠材１Ａの周囲にコンクリートを備えている。具体的には、基礎構造１は、例えば、各人工木材１２０の側面を覆う基礎巻きコンクリート１６０を備えるとともに、Ｖ型デッキ１３０上に床コンクリート１７０を備えている。Ｖ型デッキ１３０および床コンクリート１７０によって、デッキ構造スラブが構成されている。基礎巻きコンクリート１６０および床コンクリート１７０は、主柱１０、土台３０および梁４０を覆っている。そのため、外から眺めたときに、基礎巻きコンクリート１６０および床コンクリート１７０によって、主柱１０、土台３０および梁４０が視認できない。
【００２１】  基礎構造１は、さらに、例えば、基礎巻きコンクリート１６０および床コンクリート１７０内に配筋１８０を備えている。配筋１８０は、網目状に張り巡らされた鉄筋によって構成されている。基礎構造１は、さらに、例えば、梁４０の上に設けられ、基礎巻きコンクリート１６０および床コンクリート１７０に連結された土間立上コンクリート１９０と、土間立上コンクリート１９０内に設けられた鉄筋５０とを備えている。土間立上コンクリート１９０は、梁４０と対向する箇所に平坦面を有しており、その平坦面において、建築物の上部構造を支持する。なお、図２には、建築物の上部構造の一部として、木質パネル２００が例示されている。木質パネル２００には、枠材２１０が設けられており、枠材２１０と土間立上コンクリート１９０とが、例えば、ボルト２１１などによって互いに固定されている。
【００２２】  基礎構造１は、さらに、例えば、基礎巻きコンクリート１６０の側面に接する外型枠１４０と、外型枠１４０を、各人工木材１２０の側面と所定の間隙を介して固定するコーンセパレータ１５０とを備えている。外型枠１４０は、コーンセパレータ１５０によって、各間柱１２０（もしくは人工木材１２０）の側面と所定の間隙を介して固定されている。外型枠１４０は、基礎巻きコンクリート１６０を製造する過程で、基礎巻きコンクリート１６０の原料である生コンクリートの成形に使用されるものである。つまり、外型枠１４０は、基礎巻きコンクリート１６０の原料である生コンクリートを流し込む領域を、各人工木材１２０の側面に設けるための板である。外型枠１４０は、例えば、合板によって形成されている。
【００２３】  基礎構造１は、さらに、例えば、土間立上コンクリート１９０の両側面に接する２つの外型枠１５１と、２つの外型枠１５１同士を所定の間隙を介して固定するコーンセパレータ１５１とを備えている。２つの外型枠１５１は、コーンセパレータ１５１によって、所定の間隙を介して固定されている。外型枠１５１は、土間立上コンクリート１９０を製造する過程で、土間立上コンクリート１９０の原料である生コンクリートの成形に使用されるものである。つまり、外型枠１５１は、土間立上コンクリート１９０の原料である生コンクリートを流し込む領域を、各梁４０の直上に設けるための板である。外型枠１５１は、例えば、合板によって形成されている。
【００２４】［製造方法］
次に、基礎構造１の製造方法について説明する。
【００２５】  まず、地面に所定の大きさの凹部を設け、その底面に砕石１１０、ベースコンクリート６０を形成する。次に、ベースコンクリート６０の上面の所定の位置に、複数の主柱１０を固定する。次に、例えば溶接により、各土台３０を主柱１０に固定するとともに、各土台３０に、１または複数の間柱２０を固定する。このとき、必要に応じて、例えば溶接により、主柱１０の側面に間柱２２を固定してもよい。次に、例えば溶接により、複数の主柱１０の上端に複数の梁４０を固定する。次に、例えば溶接により、複数の梁４０の上面にＶ型デッキ１３０および鉄筋５０を固定する。
【００２６】  次に、互いに隣接する２つの主柱１０によって形成される間隙を埋めるように複数の人工木材１２０を配置する。次に、コーンセパレータ１５０を用いて、外型枠１４０を、各人工木材１２０の側面と所定の間隙を介して固定する。このとき、配筋１８０を設けておく。次に、外型枠１４０と、各人工木材１２０との間に形成される間隙に、生コンクリートを流し込むとともに、Ｖ型デッキ１３０上にも、生コンクリートを流し込む。次に、流し込んだ生コンクリートが固まり次第、コーンセパレータ１５１を用いて、２つの外型枠１４１を、鉄筋５０を間にして互いに対向するように配置し、２つの外型枠１４１の間に形成される間隙に、生コンクリートを流し込む。流し込んだ生コンクリートが固まれば、基礎構造１の完成となる。
【００２７】［効果］
次に、基礎構造１の効果について説明する。
【００２８】  近年、労働人口の減少は、国全体でも無視できない問題となっている。その中でも、特に、建設業界の人手不足は、非常に深刻で、工事現場で稼働する職人が不足している。そのため、職人の労務費は上昇し続け、建設コストの増加につながっている。また、職人不足により、新たな建設工事を受注することすら容易ではなくなってきている。
【００２９】  そこで、本実施の形態では、現場作業を簡易化することの可能な基礎構造１を提供する。具体的には、ベースコンクリート６０上に、主柱１０および梁４０を含む鋼製基礎用型枠材１Ａが設けられており、この鋼製基礎用型枠材１Ａの周囲に、人工木材１２０を介してコンクリート（基礎巻きコンクリート１６０）が設けられている。これにより、鋼製の主柱１０および梁４０を組み上げるだけで、基礎の骨組みを形成することができる。また、形成した鋼製基礎用型枠材１Ａの周囲に、人工木材１２０を介してコンクリート（基礎巻きコンクリート１６０）を形成することで、従来の、コンクリートで形成される基礎構造に求められる要件を満たした基礎構造１を形成することができる。従って、基礎構造を全て、コンクリートで形成する場合と比べて、作業に対する熟練性の程度を緩和することができるので、基礎構造１を製造する現場作業を簡易化することができる。
【００３０】  また、本実施の形態では、梁４０に支持されたＶ型デッキ１３０と、Ｖ型デッキ１３０上に設けられた床コンクリート１９０とが設けられている。これにより、鋼製の主柱１０、梁４０およびＶ型デッキ１３０を組み上げるだけで、基礎の骨組みを形成することができる。また、形成した鋼製基礎用型枠材１Ａの周囲にコンクリート（基礎巻きコンクリート１６０および床コンクリート１７０）を形成することで、従来の、コンクリートで形成される基礎構造に求められる要件を満たした基礎構造１を形成することができる。従って、基礎構造を全て、コンクリートで形成する場合と比べて、作業に対する熟練性の程度を緩和することができるので、基礎構造１を製造する現場作業を簡易化することができる。
【００３１】  また、本実施の形態では、Ｖ型デッキ１３０や、Ｖ型デッキ１３０の代わりにＵ型デッキ、スラブプレート、または、キーストンプレートなどが床コンクリート１９０の支持部材として用いられる。従って、基礎構造を全て、コンクリートで形成する場合と比べて、作業に対する熟練性の程度を緩和することができるので、基礎構造１を製造する現場作業を簡易化することができる。
【００３２】  また、本実施の形態では、互いに隣接する２つの主柱１０の下端に連結された複数の土台３０と、互いに隣接する２つの主柱１０の間隙に設けられ、土台３０に連結された間柱２０とが設けられている。これにより、例えば、人工木材１２０を間柱２０で支持するとともに、上下方向から土台３０および梁４０で挟むことによって固定することにより、互いに隣接する２つの主柱１０の間隙を埋めることができる。従って、基礎構造を全て、コンクリートで形成する場合と比べて、作業に対する熟練性の程度を緩和することができるので、基礎構造１を製造する現場作業を簡易化することができる。
【００３３】  また、本実施の形態では、基礎巻きコンクリート１６０および床コンクリート１７０内に配筋１９０が設けられている。これにより、基礎巻きコンクリート１６０および床コンクリート１７０の強度を確保することができる。ところで、配筋１９０は、人工木材１２０およびＶ型デッキ１３０に沿って設ければよい。従って、基礎構造を全て、コンクリートで形成する場合と比べて、作業に対する熟練性の程度を緩和することができるので、基礎構造１を製造する現場作業を簡易化することができる。
【００３４】  また、本実施の形態では、梁４０の上に設けられ、基礎巻きコンクリート１８０および床コンクリート１７０に連結された土間立上コンクリート１９０と、土間立上コンクリート１９０内に設けられた鉄筋５０とが設けられている。ところで、鉄筋５０は、例えば溶接により、梁４０に固定すればよい。また、土間立上コンクリート１９０は、鉄筋５０を間にして互いに対向するように配置した２つの外型枠１４１の間に形成される間隙に、生コンクリートを流し込むことにより、形成すればよい。従って、基礎構造を全て、コンクリートで形成する場合と比べて、作業に対する熟練性の程度を緩和することができるので、基礎構造１を製造する現場作業を簡易化することができる。
【００３５】＜第２の実施の形態＞
［構成］
次に、本考案の第２の実施の形態に係る基礎構造２の構成について説明する。図３は、基礎構造２の一部の斜視構成例を表したものである。図４は、図３に記載の構成を含む基礎構造２の断面構成例を表したものである。基礎構造２は、建築物の基礎部分の構造であり、角形鋼管、鋼板、鉄筋およびコンクリートの複合体で構成されている。基礎構造２の大半（例えば、床コンクリート１７０よりも下の部分）が地中に埋め込まれており、基礎構造２の上部（例えば、後述の土間立上柱７０、土間立上台座８０および床コンクリート１７０）が地上に露出している。
【００３６】  基礎構造２は、上記実施の形態に係る基礎構造１において、土間立上コンクリート１７０、鉄筋５０、外型枠１４１およびコーンセパレータ１５１の代わりに、複数の土間立上柱７０、複数の土間立上台座８０、複数のモルタル塗りラスカット２２０、複数の胴縁材２３０および複数のプラスターボード２４０が設けられたものに相当する。
【００３７】  各土間立上柱７０は、ベースコンクリート６０の法線方向に延在する角形鋼管によって形成されている。各土間立上柱７０の下端が梁４０に連結されており、各土間立上柱７０の上端が土間立上台座８０に連結されている。各土間立上台座８０は、ベースコンクリート６０の法線と直交する方向に延在する角形鋼管によって形成されている。各土間立上台座８０のうち少なくとも両端は土間立上柱７０に支持されるとともに、土間立上柱７０の上端に連結されている。各土間立上台座８０は、梁４０と対向する箇所に平坦面を有しており、その平坦面において、建築物の上部構造を支持する。なお、図４には、建築物の上部構造の一部として、木質パネル２００が例示されている。木質パネル２００には、枠材２１０が設けられており、枠材２１０と各土間立上台座８０とが、例えば、ボルト２１１などによって互いに固定されている。
【００３８】  各モルタル塗りラスカット２２０は、ラスカットの表面にモルタルが塗布されたものである。各モルタル塗りラスカット２２０は、土間立上柱７０および土間立上台座８０の表面に接して設けられている。胴縁材２３０は、ベースコンクリート６０の法線と直交する方向に延在する人工木材である。胴縁材２３０は、モルタル塗りラスカット２２０の表面に接して設けられている。プラスターボード２４０は、石膏を芯材として、その両面と側面がボード用紙で覆われたものである。プラスターボード２４０は、木質パネル２００の内側の表面に接して設けられている。
【００３９】  基礎構造２は、例えば、砕石１１０と、ベースコンクリート６０と、鋼製基礎用型枠材２Ａとを備えている。鋼製基礎用型枠材２Ａは、複数の主柱１０と、複数の梁４０とを有している。鋼製基礎用型枠材２Ａは、さらに、例えば、複数の土台３０と、複数の間柱２０とを有している。鋼製基礎用型枠材２Ａは、さらに、例えば、複数の間柱２２を有していてもよい。鋼製基礎用型枠材２Ａは、さらに、例えば、Ｖ型デッキ１３０を有している。鋼製基礎用型枠材２Ａに用いられ得る鋼製デッキプレートとしては、Ｖ型デッキ１３０の他に、例えば、Ｕ型デッキ、スラブプレート、または、キーストンプレートなどが挙げられる。鋼製基礎用型枠材２Ａは、さらに、例えば、複数の土間立上柱７０と、複数の土間立上台座８０とを有している。
【００４０】  基礎構造２は、さらに、例えば、鋼製基礎用型枠材２Ａの周囲にコンクリート（基礎巻きコンクリート１６０および床コンクリート１７０）を備えており、さらに、例えば、基礎巻きコンクリート１６０および床コンクリート１７０内に配筋１８０を備えている。基礎構造２は、さらに、例えば、外型枠１４０と、コーンセパレータ１５０とを備えている。
【００４１】［製造方法］
次に、基礎構造２の製造方法について説明する。
【００４２】  まず、地面に所定の大きさの凹部を設け、その底面に砕石１１０、ベースコンクリート６０を形成する。次に、ベースコンクリート６０の上面の所定の位置に、複数の主柱１０を固定する。次に、例えば溶接により、各土台３０を主柱１０に固定するとともに、各土台３０に、１または複数の間柱２０を固定する。このとき、必要に応じて、例えば溶接により、主柱１０の側面に２つの間柱２２を固定してもよい。次に、例えば溶接により、複数の主柱１０の上端に複数の梁４０を固定する。次に、例えば溶接により、複数の梁４０の上面にＶ型デッキ１３０および土間立上柱７０を固定する。次に、例えば溶接により、土間立上柱７０の上端に土間立上台座８０を固定する。
【００４３】  次に、互いに隣接する２つの主柱１０によって形成される間隙を埋めるように複数の人工木材１２０を配置する。次に、コーンセパレータ１５０を用いて、外型枠１４０を、各人工木材１２０の側面と所定の間隙を介して固定する。このとき、配筋１８０を設けておく。次に、外型枠１４０と、各人工木材１２０との間に形成される間隙に、生コンクリートを流し込むとともに、Ｖ型デッキ１３０上にも、生コンクリートを流し込む。流し込んだ生コンクリートが固まれば、基礎構造２の完成となる。
【００４４】［効果］
次に、基礎構造２の効果について説明する。
【００４５】  本実施の形態では、現場作業を簡易化することの可能な基礎構造２を提供する。具体的には、ベースコンクリート６０上に、主柱１０および梁４０を含む鋼製基礎用型枠材２Ａが設けられており、この鋼製基礎用型枠材２Ａの周囲に、人工木材１２０を介してコンクリート（基礎巻きコンクリート１６０）が設けられている。これにより、鋼製の主柱１０および梁４０を組み上げるだけで、基礎の骨組みを形成することができる。また、形成した鋼製基礎用型枠材２Ａの周囲に、人工木材１２０を介してコンクリート（基礎巻きコンクリート１６０）を形成することで、従来の、コンクリートで形成される基礎構造に求められる要件を満たした基礎構造２を形成することができる。従って、基礎構造を全て、コンクリートで形成する場合と比べて、作業に対する熟練性の程度を緩和することができるので、基礎構造２を製造する現場作業を簡易化することができる。
【００４６】  また、本実施の形態では、梁４０に支持されたＶ型デッキ１３０と、Ｖ型デッキ１３０上に設けられた床コンクリート１９０とが設けられている。これにより、鋼製の主柱１０、梁４０およびＶ型デッキ１３０を組み上げるだけで、基礎の骨組みを形成することができる。また、形成した鋼製基礎用型枠材２Ａの周囲にコンクリート（基礎巻きコンクリート１６０および床コンクリート１７０）を形成することで、従来の、コンクリートで形成される基礎構造に求められる要件を満たした基礎構造２を形成することができる。従って、基礎構造を全て、コンクリートで形成する場合と比べて、作業に対する熟練性の程度を緩和することができるので、基礎構造２を製造する現場作業を簡易化することができる。
【００４７】  また、本実施の形態では、Ｖ型デッキ１３０や、Ｖ型デッキ１３０の代わりにＵ型デッキ、スラブプレート、または、キーストンプレートなどが床コンクリート１９０の支持部材として用いられる。従って、基礎構造を全て、コンクリートで形成する場合と比べて、作業に対する熟練性の程度を緩和することができるので、基礎構造２を製造する現場作業を簡易化することができる。
【００４８】  また、本実施の形態では、互いに隣接する２つの主柱１０の下端に連結された複数の土台３０と、互いに隣接する２つの主柱１０の間隙に設けられ、土台３０に連結された間柱２０とが設けられている。これにより、例えば、人工木材１２０を間柱２０で支持するとともに、上下方向から土台３０および梁４０で挟むことによって固定することにより、互いに隣接する２つの主柱１０の間隙を埋めることができる。従って、基礎構造を全て、コンクリートで形成する場合と比べて、作業に対する熟練性の程度を緩和することができるので、基礎構造２を製造する現場作業を簡易化することができる。
【００４９】  また、本実施の形態では、基礎巻きコンクリート１６０および床コンクリート１７０内に配筋１９０が設けられている。これにより、基礎巻きコンクリート１６０および床コンクリート１７０の強度を確保することができる。ところで、配筋１９０は、人工木材１２０およびＶ型デッキ１３０に沿って設ければよい。従って、基礎構造を全て、コンクリートで形成する場合と比べて、作業に対する熟練性の程度を緩和することができるので、基礎構造２を製造する現場作業を簡易化することができる。
【００５０】  また、本実施の形態では、梁４０の上に設けられた複数の土間立上柱７０と、複数の土間立上柱７０の上端に連結された土間立上台座８０とが設けられている。これにより、鋼製の主柱１０、梁４０、土間立上柱７０および土間立上台座８０を組み上げるだけで、基礎の骨組みを形成することができる。これにより、基礎構造を全て、コンクリートで形成する場合と比べて、作業に対する熟練性の程度を緩和することができるので、基礎構造２を製造する現場作業を簡易化することができる。
【００５１】＜第３の実施の形態＞
本考案の第３の実施の形態に係る建築物１０００について説明する。図５は、建築物１０００の正面構成例を表したものである。建築物１０００は、基礎構造１もしくは基礎構造２と、上部構造３とを備えている。建築物１０００において、基礎構造１もしくは基礎構造２が、上部構造３を支持している。上部構造３は、壁や天井などによって囲まれた空間を提供するものであり、例えば、パネル工法によって建てられたものである。上部構造３は、例えば、壁として上述の木質パネル２００を有しており、上部構造３の壁に用いられている木質パネル２００の枠材２１０が、基礎構造１の土間立上コンクリート、または、基礎構造２の土間立上台座８０に、ボルト２１１などによって固定されている。
【００５２】  建築物１０００では、上部構造３を支持する基礎構造として、基礎構造１もしくは基礎構造２が設けられている。これにより、基礎構造を全て、コンクリートで形成する場合と比べて、作業に対する熟練性の程度を緩和することができるので、建築物１０００を製造する現場作業を簡易化することができる。
【００５３】  なお、各実施の形態において、鋼製の角筒体（角形鋼管）の代わりに、Ｈ鋼やＩ鋼が用いられてもよい。このようにした場合であっても、上記各実施の形態と同様の効果を得ることができる。
【符号の説明】
【００５４】  １，２…基礎構造、１Ａ，２Ａ…鋼製基礎用型枠材、３…上部構造、１０…主柱、１１…ベースプレート、１２…ボルト、２０…間柱、２１…ボルト孔、２２…間柱、３０…土台、４０…梁、５０…鉄筋、６０…ベースコンクリート、７０…土間立上柱、８０…土間立上台座、１１０…砕石、１２０…人工木材、１３０…Ｖ型デッキ、１４０…外型枠、１５０…コーンセパレータ、１６０…基礎巻きコンクリート、１７０…床コンクリート、１８０…配筋、１９０…土間立上コンクリート、２００…木質パネル、２１０…枠材、２１１…ボルト、２２０…モルタル塗りラスカット、２３０…胴縁材、２４０…プラスターボード、１０００…建築物。
【図１】
0003219644.tif 000003
【図２】
0003219644.tif 000004
【図３】
0003219644.tif 000005
【図４】
0003219644.tif 000006
【図５】
0003219644.tif 000007
【手続補正書】
【提出日】平成30年4月10日(2018.4.10)
【手続補正１】
【補正対象書類名】実用新案登録請求の範囲
【補正対象項目名】全文
【補正方法】変更
【補正の内容】
【実用新案登録請求の範囲】
【請求項１】
上部構造を受ける基礎構造であって、
ベースコンクリートと、
前記ベースコンクリートに固定された複数の鋼製主柱と、
前記複数の鋼製主柱の上端に連結された鋼製梁と、
互いに隣接する２つの前記鋼製主柱の間隙を埋める人工木材と、
前記人工木材の側面を覆う基礎巻きコンクリートと
を備えた
基礎構造。
【請求項２】
前記鋼製梁に支持された鋼製デッキプレートと、
前記鋼製デッキプレート上に設けられた床コンクリートと
を更に備えた
請求項１に記載の基礎構造。
【請求項３】
前記鋼製デッキプレートは、Ｖ型デッキ、Ｕ型デッキ、スラブプレート、キーストンプレート、または、ＱＬデッキであり、
前記鋼製デッキプレートおよび前記床コンクリートによってデッキ構造スラブが構成されている
請求項２に記載の基礎構造。
【請求項４】
互いに隣接する２つの前記鋼製主柱の下端に連結された複数の鋼製土台と、
互いに隣接する２つの前記鋼製主柱の間隙に設けられ、前記鋼製土台に連結された間柱と
を更に備え、
前記木材は、前記間柱に固定されている
請求項１〜請求項３のいずれか一項に記載の基礎構造。
【請求項５】
前記基礎巻きコンクリートおよび前記床コンクリート内に配筋を更に備えた
請求項２または請求項３に記載の基礎構造。
【請求項６】
前記梁の上に設けられ、前記基礎巻きコンクリートおよび前記床コンクリートに連結された土間立上コンクリートと、
前記土間立上コンクリート内に設けられた鉄筋と
を更に備えた
請求項２または請求項３に記載の基礎構造。
【請求項７】
前記梁の上に設けられた複数の鋼製土間立上柱と、
前記複数の鋼製土間立上柱の上端に連結された鋼製土間立上台座と
を更に備えた
請求項１〜請求項５のいずれか一項に記載の基礎構造。
【請求項８】
上部構造と、
前記上部構造を受ける基礎構造と
を備え、
前記基礎構造は、
ベースコンクリートと、
前記ベースコンクリートに固定された複数の鋼製主柱と、
前記複数の鋼製主柱の上端に連結された鋼製梁と、
互いに隣接する２つの前記鋼製主柱の間隙を埋める人工木材と、
前記人工木材の側面を覆う基礎巻きコンクリートと、
前記鋼製梁に支持された鋼製デッキプレートと、
前記鋼製デッキプレート上に設けられた床コンクリートと
を有する
建築物。